(57)【要約】【課題】総合式測量の介護装置および方法を提供する。【解決手段】本発明は、総合式側量の介護装置および方法であり、生理データ測量モジュールと、変換モジュールと、生理データ入力モジュールと、介護級分けモジュールと、生理加算値表現モジュールとを含む。非線形関数の生理データ変換方法を介して、確率統計中の標準偏差を利用し、生物体某部位生理データの測量値と標準値を比較し、生物体の状況の級分け式介護提示を発生し、該生物体状況の級分け式介護提示数値が非線形関数を介してエネルギー量分布値または運勢趨勢値を表す生理加算値表現に変換される。【選択図】図１
2009095403.tif 000002
【特許請求の範囲】
【請求項１】
下記のステップ、
（ａ）少なくとも１つの対応する生理信号の標準値と測量値を入力し、
（ｂ）該標準値と該測量値を比較し、少なくとも１つの生物状況の級分け式介護提示を発生し、
（ｃ）該級分け式介護提示を少なくとも１つの生理加算値表現に変換する、
を含む総合式測量の介護方法。
【請求項２】
前記ステップ（ａ）の該生理信号の標準値と測量値のデータは、中/西医療器具測量により得られるデータであるか、または以下のステップ、
（ａ１）生物体体表特定部位電位値を測量し基準電位値とし、
（ａ２）基準電位値を基準抵抗値に変換し、
（ａ３）基準抵抗値を生物体某部位標準値に変換し、
（ａ４）生物体体表某部位電位値を測量し、測量電位値とし、
（ａ５）測量電位値を測量値に変換する
により得られるものである請求項１記載の総合式測量の介護方法。
【請求項３】
前記ステップ（ｂ）が、更に以下の処理ステップ、
（ｂ１）（該標準値-標準差）＜該測量値≦該標準値であれば、該生物体状況の級分け介護提示を「正常」とし、
（ｂ２）（該標準値-１．５×標準差）＜該測量値≦（該標準値-標準差）であれば、該生物体状況の級分け式介護提示を「ほぼ正常」とし、
（ｂ３）（該標準値-２×標準差）＜該測量値≦（該標準値-１．５×標準差）であれば、該生物体状況の級分け式介護提示を「注意」とし、
（ｂ４）該測量値≦（該標準値-２×標準差）であれば、該生物体状況の級分け介護提示は「処理」とする
を含む請求項１記載の総合式測量の介護方法。
【請求項４】
前記ステップ（ｃ）の該変換が、非線形関数方式である請求項１記載の総合式測量の介護方法。
【請求項５】
前記ステップ（ｃ）の生理加算値表現がエネルギー分布値または運勢趨勢値である請求項１記載の総合式測量の介護方法。
【請求項６】
（ａ）少なくとも１つの生理データ測量モジュール１０と、
（ｂ）非線形関数で該生理データ測量モジュール１０が測量したデータを拡大する少なくとも１つの変換モジュール２０と、
（ｃ）該変換モジュール２０が変換するデータまたは中/西医療器具測量データ６０を入力する少なくとも１つの生理データ入力モジュール３０と、
（ｄ）該生理データ入力モジュール３０から入力されたデータを比較し、異なる介護級分けデータを発生する少なくとも１つの介護級分けモジュール４０と、
を含む総合式測量の介護装置。
【請求項７】
更に、少なくとも１つの生理加算表現モジュール４０を含み、該生理加算表現モジュール４０が該介護級分けデータを入力し非線形関数によりエネルギー分布値または運勢趨勢値に変換する請求項６記載の総合式測量の介護装置。
【発明の詳細な説明】
【技術分野】
【０００１】
本発明は、総合式測量の介護装置および方法に関し、特に、生物体の各部位の状況を示すことができる総合式測量の介護装置および方法に関する。
【背景技術】
【０００２】
現在、良く見られる生理信号分析システムは、生理信号採集装置および非線形図形インターフェイス分析装置を含む。該生理信号採集装置は生物体を測量し、生理信号を発生し、該非線形図形インターフェイス分析装置を利用し、図形分析方式で生理信号を分析、分別する特徴図を利用し、生物体の状況の測量、分析を達成する。例えば、台湾特許出願番号第０９０１２５８９７号である。
従来の生理信号分析システムの生理信号採集装置は、拡大回路を有し、該生理信号を拡大することに用い、該システムのコストを増加させている。また、該システムは生理信号採集装置によって生物体の生理信号を測量することのみ可能であり、生理信号のデータを直接入力することはできない。従って、生理信号分析システムがコストおよび使用上、依然として改善の余地を有する。
【特許文献１】台湾特許出願番号第０９０１２５８９７号明細書
【発明の開示】
【発明が解決しようとする課題】
【０００３】
本発明の主要な目的は、総合式生物体の生理データを提供できる総合式測量の介護装置および方法を提供することである。
【課題を解決するための手段】
【０００４】
上記の目的を達成するため、本発明の総合式測量の介護装置および方法中、生理データ測量モジュールが生物体の生理信号を測量し、生理データに変換し、中/西医療器具が測量する生理データを入力でき、従来の生理信号分析システムの使用上の不便を改善する。本発明の総合式測量の介護装置および方法中、非線形関数を使用し、生理信号を変換した生理信号を拡大し、従来の生理信号分析システムのコストが増加する欠点を改善する。
【発明の効果】
【０００５】
本発明の総合式測量の介護装置および方法は、上記の構成および効果を有する以外に、確率統計中の標準差を利用し、測量した生理データを級分けし、それを介護級分けの根拠とし、更に該介護級分けデータを利用し、エネルギー分布値または運勢趨勢値の生理加算値表現に変換することができる。
【発明を実施するための最良の形態】
【０００６】
図１と図２は、本発明の実施例のフロー説明図である。そのうち、ステップは以下のとおりである：先ず、ステップＳ１０中、対応する生理信号の標準値と測量値を入力し、該生理信号の標準値と測量値は中/西医療機器により測量して得られるデータ、または以下のステップによって得られる：生物体体表特定部位の電位値の基準電位値を測定し、例えば、ステップＳ１１に示すように、固定微小電流の信号を測量する。続いて、該基準電位値を基準抵抗値に変換し、ステップＳ１２に示すように、非線形関数（例：指数関数）方式で該基準電位値を拡大し、且つ該基準抵抗値に変換する。続いて該基準抵抗値を生物体某部位の標準値に変換し、ステップＳ１３に示すように、非線形関数方式で該基準抵抗値を生物体某部位の標準値に変換し、抵抗値の標準値とする。続いて、生物体体表某部位の電位値を測量した測量電位値は、ステップＳ１４に示すようである。続いて、該測量電位値を測量値に変換し、ステップＳ１５に示すように、非線形関数（例：指数関数）方式で該測量電位値を拡大し、且つ抵抗値の測量値に変換する。続いてステップＳ２０を行う。
【０００７】
ステップＳ２０中、該標準値と該測量値を比較し、生物状況の級分け式介護提示を発生し、その級分け処理は、以下のとおりである：
（１）（該標準値-標準差）＜該測量値≦該標準値であれば、該生物体状況の級分け介護提示を「正常」とする。
（２）（該標準値-１．５×標準差）＜該測量値≦（該標準値-標準差）であれば、該生物体状況の級分け式介護提示を「ほぼ正常」とする。
（３）（該標準値-２×標準差）＜該測量値≦（該標準値-１．５×標準差）であれば、該生物体状況の級分け式介護提示を「注意」とする。
（４）該測量値≦（該標準値-２×標準差）であれば、該生物体状況の級分け介護提示は「処理」とする。
【０００８】
そのうち、各測量値と平均測量値の差の二乗平均数の平方根で得られるものを標準差とし、確率統計中の統計分布程度の測量に用い、測量値間の離散程度を反映し、続いてステップＳ３０を行う。
【０００９】
ステップＳ３０中、該級分け式介護提示を生理加算値表現に変換し、該級分け式介護提示の数値が非線形関数を経てエネルギー分布値または運勢趨勢値を表す生理加算値に変換される。
【００１０】
図３は、本発明の装置の実施例のブロック図である。そのうち、生理データ測量モジュール１０と、変換モジュール２０と、生理データ入力モジュール３０と、介護級分けモジュール４０と、生理加算表現モジュール５０とを含む。
【００１１】
そのうち、該生理データ入力モジュール３０は、中/西医療器具測量データ６０または該変換モジュール２０が変換したデータを入力できる。該変換モジュール２０が変換したデータは、該整理データ測量モジュール１０が非侵入式で固定微小電流の信号を生物体体表某部位に出力し、該信号は生物体を経て、該生理データ測量モジュール１０によって該信号の電位を測量し、該測量電位値が該変換モジュール２０を経て非線形関数（例：指数関数）方式で該測量電位値を拡大し、且つ測量抵抗値に変換する。該生理データ入力モジュール３０は、生物体体表某部位の該測量抵抗値と標準抵抗値を該介護級分けモジュール４０に経由させ、確率統計中の標準差を利用し、該測量値抵抗値と該標準抵抗値を比較し、生物体状況の介護等級値を出力し、該介護等級値は、該生理加算値表現モジュール５０を経て非線形関数方式でエネルギー分布値または運勢趨勢値を表す生理加算値表現に変換する。
【００１２】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００１３】
【図１】本発明のフローの第一実施例の説明図である。
【図２】本発明のフローの第二実施例の説明図である。
【図３】本発明の装置の実施例のブロック図である。
【符号の説明】
【００１４】
Ｓ１０，Ｓ１１，Ｓ１２，Ｓ１３，Ｓ１４，Ｓ１５，Ｓ２０，Ｓ３０  フローステップ
１０  生理データ測量モジュール
２０  変換モジュール
３０  生理データ入力モジュール
４０  介護級分けモジュール
５０  生理増加値表現モジュール
６０  中/西医療器具測量データ
【図１】
2009095403.tif 000003
【図２】
2009095403.tif 000004
【図３】
2009095403.tif 000005